(57)【要約】【課題】保持鏡筒に対しレンズを回転角度位置調整した後、接着などで調整位置を固定していたが、解体性に課題があった。従って本発明では保持鏡筒に対し回転位置調整を行うレンズを、接着などを行わず、また係止部などの異形状を設けることなく、更に調整位置を段階的ではなく無段階な任意の位置に固定可能なレンズを実現する。【解決手段】締付け環と保持鏡筒がネジにより螺合し、締付け環の内周の傾斜部が保持鏡筒の傾斜部を徐々に押圧することで、保持鏡筒の係止爪が弾性変形して第１レンズを光軸方向当接部に付勢し固定する。【選択図】図３
2020034803.tif 000002
【特許請求の範囲】
【請求項１】
少なくとも一つ以上の光学要素であるレンズを有するレンズ鏡筒であって、前記レンズ鏡筒は、光学要素であるレンズと、前記レンズを保持する保持鏡筒と、前記保持鏡筒に取り付けられる締付け環とが構成され、前記保持鏡筒はレンズの外形を保持する嵌合部と、前記レンズを含む光学要素が光軸方向に当接する当接部と、前記当接部とは反対側のレンズの曲率面に当接する係止部を有し、前記係止部は光軸方向、及び放射方向に自由度を有する弾性部により接続されつつ光軸周りに角度位相を変えて複数に分割されていることを特徴としたレンズ鏡筒。
【請求項２】
前記締付け環が前記保持鏡筒に螺合することで締付け環の内周部が保持鏡筒に弾性的に接続されている係止部の外形箇所を押圧し、内周方向に弾性変形して係止部が前記レンズの曲率面を押圧し光軸方向に付勢することを特徴とした請求項１に記載のレンズ鏡筒。
【請求項３】
前記締付け環は内周に傾斜面を有し、前記保持鏡筒の外形箇所を押圧することで外周方向から前記レンズを光軸方向に付勢することを特徴とした請求項１又は２に記載のレンズ鏡筒。
【請求項４】
前記締付け環は、前記保持鏡筒に螺合しつつ弾性部で接続された係止部を光軸方向に直接押圧する壁部を有することを特徴とした請求項１、２、３の何れか一項に記載のレンズ鏡筒。
【請求項５】
前記保持鏡筒と、締付け環はネジによる螺合にて結合されることを特徴とした請求項１、２、４の何れか一項に記載のレンズ鏡筒。
【請求項６】
前記レンズは非球面レンズであることを特徴とした請求項１、２、３、４、５の何れか一項に記載のレンズ鏡筒。
【請求項７】
前記レンズは両面とも非球面レンズであることを特徴とした請求項１、２、３、４、５、６の何れか一項に記載のレンズ鏡筒。
【発明の詳細な説明】
【技術分野】
【０００１】
本発明は、他の光学要素に対し光軸ズレの影響が少なくなるように回転位置調整を行うレンズを有するレンズ鏡筒に関する。
【背景技術】
【０００２】
レンズは基本的には光軸に対し完全回転対称形であることが理想であるが、実際には製造誤差等により僅かに光軸の傾きや偏心などがあり、それが型成形により製作されるレンズであった場合は製造誤差による前述の光軸の傾きや偏心などが大きくなる場合が多い。研磨工程により製作される場合は芯取り工程で外形を削るので偏芯が小さくなるため軸ずれは比較的小さくなるが、型成形により製作される場合は型自体の精度、対称性や上型、下型の機械的な保持位置精度などにより光軸のずれが決定されてしまう為である。
【０００３】
更に非球面レンズの場合は、面形状を変化させることでレンズの中心を通る光線と周辺を通る光線の収束位置を制御しているため、他の光学要素との相対位置は敏感となり光軸ずれの影響は更に大きくなる。
【０００４】
更には両面が非球面レンズの場合は、収差の補正を高精度に行っており光軸ずれが最終的な光学性能に与える影響として一段と大きくなる。
【０００５】
そこで従来より、型成形にて製作されたレンズを有するレンズ鏡筒では他の光学要素との光軸の位置調整を行った後、前記型成形レンズの調整位置を接着、あるいは溶着して固定するレンズ鏡筒が一般的にあった。
【０００６】
特許文献１では、収差が最小になるように各レンズユニットの光軸調整を行った後、紫外線硬化型接着剤で仮固定、本固定を行う技術が開示されている。
【０００７】
また特許文献２では、型成形のレンズの一部に鏡筒との回転規制を行う為の凸、凹形状の係合部を設けるようにして回転位置調整を行い、調整後のレンズが押え環の締め込みより連れ廻ることを防止するようにしている。
【先行技術文献】
【特許文献】
【０００８】
【特許文献１】特開２００２−６２４６３号公報
【特許文献２】特開２０１１−４８１２３号公報
【発明の概要】
【発明が解決しようとする課題】
【０００９】
しかしながら、特許文献１に開示されるような接着剤にてレンズ調整後の位置を固定する方法では、その後分解する必要があった際に分解自体が容易ではなく、更に部品の再利用が困難となる。
【００１０】
次に特許文献２では、型成形レンズの一部に係合部となる凸、または凹部の異形状を設ける必要があり、異形であるが故の成形時の内部ひずみ等による光学的な影響が懸念される。
【００１１】
また係合部による回転保持位置は段階的に係止位置が決定されるため、その中間に最適位置があった場合でも選択することが出来ないという問題がある。
【００１２】
更には上記の課題があったとしても型成形で製作される場合は係止形状を設けることも可能であるが、研磨工程により製作される場合は係止形状を設けることは製作上困難である。
【００１３】
尚、研磨工程により製作されるレンズの場合、光軸ズレは比較的小さくなると述べたが、光学系の敏感度が高い場合はそれでも無視できなくなる可能性もある。
【００１４】
従って本発明の目的は、保持鏡筒に対し回転位置調整を行うレンズを、接着などを行わず、また係止部などの異形状を設けることなく、更に調整位置を段階的ではなく無段階な任意の位置に固定可能なレンズ鏡筒を提供することである。
【課題を解決するための手段】
【００１５】
上記の目的を達成するために請求項１の本発明では、少なくとも一つ以上の光学要素であるレンズを有するレンズ鏡筒であって、前記レンズ鏡筒は、光学要素であるレンズと、前記レンズを保持する保持鏡筒と、前記保持鏡筒に取り付けられる締付け環とが構成され、前記保持鏡筒はレンズの外形を保持する嵌合部と、前記レンズを含む光学要素が光軸方向に当接する当接部と、前記当接部とは反対側のレンズの曲率面に当接する係止部を有し、前記係止部は光軸方向、及び放射方向に自由度を有する弾性部により接続されつつ光軸周りに角度位相を変えて複数に分割されていることを特徴としたレンズ鏡筒としたことにより、レンズの曲率面に当接した係止部がレンズを保持鏡筒の当接部に付勢するようにしたものである。
【００１６】
また請求項２の本発明では、前記締付け環が前記保持鏡筒に螺合することで締付け環の内周部が保持鏡筒に弾性的に接続されている係止部の外形箇所を押圧し、内周方向に弾性変形して係止部が前記レンズの曲率面を押圧し光軸方向に付勢することを特徴とした請求項１記載のレンズ鏡筒としたことにより、前記締付け環が保持鏡筒に螺合することで係止部がレンズを光軸方向の当接部に付勢しつつ回転位相位置を固定するようにしたものである。
【００１７】
更に請求項３の本発明では、前記締付け環は内周に傾斜面を有し、前記保持鏡筒の外形箇所を押圧することで外周方向から前記レンズを光軸方向に付勢することを特徴とした請求項１、２記載のレンズ鏡筒としたことにより、前記締付け環の締め付けにより弾性部が内部のレンズを光軸方向の当接部に付勢しつつ回転位相位置を固定するようにしたものである。
【００１８】
また請求項４の本発明では、前記締付け環は保持鏡筒に螺合しつつ、保持鏡筒の前記弾性係止部を光軸方向に直接付勢する壁部を有することを特徴とした請求項１、２、３記載のレンズ鏡筒としたことにより、質量の大きなレンズを保持する場合でも光軸方向の付勢力を大きく確保することを可能としたものである。
【００１９】
更に請求項５の本発明では、前記保持鏡筒と、締付け環はネジによる螺合にて結合されることを特徴とした請求項１、２、４記載のレンズ鏡筒としたことにより、締付け環の締付けトルクを調整することで保持鏡筒に対するレンズの保持力を調整することを可能としたものである。
【００２０】
更にまた請求項６の本発明では、前記レンズは非球面レンズであることを特徴とした請求項１、２、３、４、５記載のレンズ鏡筒としたことにより、光軸ズレの影響が大きい型製作で製造されたレンズを使用した場合でも回転位相位置調整後の保持を行えるようにしたものである。
【００２１】
更にまた請求項７の本発明では、前記レンズは両面とも非球面レンズであることを特徴とした請求項１、２、３、４、５、６記載のレンズ鏡筒としたことにより、やはり光軸ズレの影響が大きい型製作で製造されたレンズを使用した場合でも回転位相位置調整後の保持を行えるようにしたものである。
【発明の効果】
【００２２】
本発明に係るレンズ鏡筒によれば、保持鏡筒に対しレンズを光軸回転位相位置調整を行った後、接着等に頼らず調整後の位置を固定でき、分解も容易であるという効果がある。
【図面の簡単な説明】
【００２３】
【図１】本発明を実施したレンズ鏡筒の断面図
【図２】本発明を実施したレンズ鏡筒の分解斜視図
【図３】本発明を実施したレンズ鏡筒の部分分解斜視図
【図４】本発明を実施した１群ユニットの組立途中の状態を示した部分断面図
【図５】本発明を実施した第１ユニットの斜視図
【図６】図５に指示した各断面位相位置での部分断面図
【図７】他の実施例を示した１群ユニットの部分拡大断面図
【発明を実施するための形態】
【００２４】
以下、本発明の好ましい形態の実施について図を参照しながら説明するが、レンズ鏡筒の本発明を実施した箇所周辺にのみ限定した説明とし、その他レンズ鏡筒各部の詳細には及ばない。
【００２５】
図１は本発明を実施したレンズ鏡筒の断面図、図２は本発明を実施したレンズ鏡筒の分解斜視図である。更に図３は本発明を実施したレンズ鏡筒の部分分解斜視図、図４は本発明を実施した１群ユニットの組立途中の状態を示した部分断面図である。
【００２６】
図５は本発明を実施した第１ユニットから１群締付け環を除いた状態の斜視図であり、更に図６は図５に示した各断面位相位置での部分断面図である。
【００２７】
また図７は他の実施例を示した１群鏡筒の係止部の部分拡大断面図を示している。
【実施例１】
【００２８】
図１、図２において１は不図示であるカメラと接続されるマウントであり、３は固定筒、２は厚みを切削調整することでマウント１と固定筒３の間の間隔調整を行うマウントリング、４は固定筒に保持され動作制御を行う制御基板である。また制御基板４にはカメラ側の電気接点と接続するための接点ブロック４ａが設けられている。
【００２９】
更に６は固定筒３と結合され、移動群を直進案内する案内溝が設けられた案内筒、７は案内筒６に対し光軸周りに定位置回転可能に保持され、回転により移動群を光軸方向に進退させるためのカムを有したカム環である。カム環７は案内筒６に対し前側より組み込まれ、固定筒３に光軸周りに定位置回転可能に保持されたズームリング５と、ズームキー８により係合されている。
【００３０】
案内筒６には案内溝と、カム環７のカムの交点にカムフォロワが係合することにより光軸方向の位置が決定される第１移動群１１、第２移動群１２、第３移動群１３、第４移動群１４、第５移動群１５の光学系ユニットである各移動群が保持されている。
【００３１】
第１移動群１１の一群ユニット１１０については後に詳細に説明する。
【００３２】
第２移動群１２は焦点調節のためのフォーカス群でもあり、２群移動環１２ｃとフォーカスカム環１２ｂに２群ユニット１２ｄが保持されている。更には２群移動環１２ｃには不要な軸外光をカットするための副絞りＡユニット１２ａが保持され第２移動群の光軸方向位置により口径が変化する。
【００３３】
また第４移動群１４には電磁絞りユニット１４ａが保持されフレキシブルプリント配線板１４ｂにより制御基板４と電気的に接続されている。詳細には電磁絞りユニット１４ａ上の駆動モータと絞りの絞り羽根の開放状態を検知するフォトインタラプタと、制御基板４とをフレキシブルプリント配線板１４ｂが電気的に接続している。
【００３４】
更に第４移動群１４の結像方向側にはＦｎｏを決定するための副絞りＢユニット１４ｃが保持され、副絞りＡユニット１２と同様、第４移動群１４の光軸方向位置により口径が変化する。
【００３５】
尚、第２移動群から第５移動群１５の移動群は案内筒６の内径に配置されるが、第１移動群１１はカム環７の外径側に配置され、其々案内筒６の案内溝、カム環７のカム溝の交点の位置に保持されている。
【００３６】
また案内筒６の物体方向側には変形受け部材１６のバヨネット爪１６ａが案内筒のバヨネット溝６ａと係合することで保持され、取り付け後、固定ビス２１により回転位置が固定され案内筒６と一体化される。変形受け部材１６には貫通孔１６ａが設けられ、前述の第１移動群１１の１群移動環１１ｂの脚部１１ｃが貫通孔１６ａを貫通して案内筒６、カム環７に係合している。更に変形受け部材１６の外周側には弾性材料で製作されたテープ状の緩衝部材１７が配置されている。
【００３７】
更に案内筒６の物体方向先端には中継リング１８が定位置回転可能に保持され、中継リング１８に取り付けられた連結キーＡ１９と連結キーＢ２０を介してフォーカスカム環１２ｂを回転することで焦点調節のため第２移動群１２が光軸方向に移動する。連結キーＡが変形受け部材１６の貫通穴１６Ａの一つを貫通して取り付けられているため、中継リング１８は作動範囲を制限されて定位置回転する。
【００３８】
案内筒６の結像方向側後端の固定筒３との結合される別の位相箇所にはフォーカスユニット９ａとフロントユニット９ｃで構成される外装ユニット９が固定され、フロントユニット９ｃにはフィルターネジとフードの取り付け部が設けられている。
【００３９】
尚、外装ユニット９の内径と変形受け部材１６の外径には弾性を有する緩衝部材１７が僅かに圧縮された後、接触するように間隙Ａ２２を設けている。
【００４０】
また外装ユニット９には焦点調節を手動操作するためのフォーカスリング１０が定位置回転可能に保持され、回転力をフォーカスユニット９ａに伝達することが可能である。
【００４１】
詳細には記さないがフォーカスユニット９ａは円環型の振動波モータであり、制御基板４からの制御信号、電力を受け駆動する。電気的制御による電気駆動の他、フォーカスリング１０を手動操作することにより、フォーカスキー９ｂを介して中継リング１８に保持された連結キーＡ１９と係合し、更に連結キーＢ２０から回転力をフォーカスカム環１２ｂに伝達することが可能である。
【００４２】
次に第１移動群１１の光学要素を保持している１群ユニット１１０について構成を説明する。
【００４３】
図３は１群ユニット１１０の分解斜視図であり、１群鏡筒１１３には型により両面の光学面を非球面に型成形された光学要素である第１レンズ１１１、及び第２レンズ１１２が１群締付け環１１４により保持される。１群鏡筒１１３と１群締付け環１１４はネジの螺合により結合され、また第１レンズ１１１と第２レンズ１１２の間にはレンズ同士の間隔を調整するワッシャ１１５が挿入される。
【００４４】
後に説明するが第１レンズ１１１と第２レンズ１１２はワッシャ１１５を挟んで光軸方向を１群鏡筒１１３に当接し、１群鏡筒１１３の係止部１１３ｂと１群締付け環１１４により固定保持され１群ユニット１１０を構成している。
【００４５】
樹脂により型成形で製作されている１群鏡筒１１３には第１レンズ１１１の外径嵌合部１１１ａを保持する嵌合保持部１１３ａと、弾性部１１３ｃの両端が円周方向に伸びた先端に配置された係止部１１３ｂが交互、等分に３箇所ずつ配置されている。
【００４６】
係止部１１３ｂは第１レンズ１１１の前方の曲率面に当接するが、弾性部１１３ｃの先端に配置されているため、光軸中心から放射方向ばかりでなく光軸方向にも弾性変形による自由度を有している。
【００４７】
更に１群鏡筒１１３の係止部１１３ｂの外径側には傾斜部１１３ｄが設けられ、１群締付け環１１４の内周にも同様に傾斜面１１４ａが設けられている。１群締付け環１１４を１群鏡筒１１３にネジにより螺合することで内周の傾斜面１１４ａが１群鏡筒１１３の傾斜部１１３ｃを徐々に押圧し係止部１１３ｂが第１レンズ１１１の前方の曲率面を押圧する。１群締付け環１１４はネジにより螺合しているため組付けにより回転はするが、第１レンズ１１１に直接当接することはないため１群レンズ１１１に対し回転方向に摩擦を与えることなく固定することが可能である。
【００４８】
図４は第２レンズ１１２、ワッシャ１１５を挿入した後の第１レンズ１１１を１群鏡筒１１３に挿入する途中の状態であり、係止部１１３ｂの位置での断面を示している。
【００４９】
図４に於いて（４Ａ）は第１レンズ１１１を１群鏡筒１１３に挿入する前の状態であり、１群鏡筒１１３の係止部１１３ｂは第１レンズ１１１の外径嵌合部１１１ａよりも小径の状態が初期状態となっている。
【００５０】
次に（４Ｂ）は第１レンズ１１１を１群鏡筒１１１に挿入する途中の状態であり、１群レンズ１１１の外径嵌合部１１１ａは弾性的に一体結合されている係止部１１３ｂを押し上げつつ挿入される。
【００５１】
更に（４Ｃ）は第１レンズ１１１がワッシャ１１５、第２レンズ１１２を介して１群鏡筒に当接された状態を示しており、係止部１１３ｂは第１レンズ１１１の外径嵌合部１１１ａを乗り越え第１レンズ１１１の曲率面を保持するように位置が復帰する。この状態では１群鏡筒の係止部１１３ｂは１群レンズ１１１を十分には固定していないため、１群鏡筒に対し光軸周りに回転することは可能となっている。
【００５２】
ここで第１レンズ１１１の外径嵌合部１１１ａを１群鏡筒１１３の嵌合保持部１１３ａが保持するが、第１レンズ１１１を挿入後、他の光学要素に対し最も光学的な偏心の影響が少なくなるように回転位置の調整を行う。光学的な偏心の影響を確認する手段は透過させた点像を光学的に評価するなどの方法があるが、ここでは特定はしない。
【００５３】
１群レンズ１１１の回転調整を行った後、前述のように１群鏡筒１１３に対し１群締付け環１１４を螺合させていき、第１レンズ１１１、第２レンズ１１２を十分に固定する。前述の通り１群締付け環１１４は第１レンズ１１１に直接当接することはないため、１群レンズ１１１に対し回転方向に摩擦を与えることなく回転調整値を維持したまま固定することが可能である。
【００５４】
図５は１群ユニット１１０から１群締付け環１１４を取り付ける前の状態の斜視図であり、（６Ａ）、（６Ｂ）、（６Ｃ）に各角度位相での断面位置を表わしている。
【００５５】
図６は図５の断面位置（６Ａ）、（６Ｂ）、（６Ｃ）に対応する部分断面図を示すが、１群鏡筒１１３に１群押え環１１４が取り付けられた状態での断面図となっている。（６Ｂ）は傾斜部１１３ｄを含んだ係止部１１３ｂ、（６Ａ）は両端に前記係止部１１３ｂと傾斜部１１３ｄを有している弾性部１１３ｃの一部の断面を示している。また（６Ｃ）は第１レンズ１１１の外径嵌合部１１１ａを保持している嵌合保持部１１３ａの断面である。
【００５６】
次に各構成要素の動作を説明する。
【００５７】
図２は本発明を実施したレンズ鏡筒のＷＩＤＥ状態の断面図である。ズームリング５を操作しズームキー８を介してカム環７を回転させることで、第２移動群１２から第５移動群１５の各移動群は結像側方向から物体側方向に向かって移動する。第１移動群１１については、一旦結像側方向に移動した後、物体側方向に移動する所謂Ｕターンの動作をする。
【００５８】
この時、第２移動群１２に保持されている副絞りＡユニット１２ａはズームＷＩＤＥ状態からＴＥＬＥ状態に向かうに従い、絞り羽根がある程度閉じられた状態から開放状態へ変化する。つまりＷＩＤＥ側で不要な軸外光を遮蔽しフレアをカットする機能をする。
【００５９】
更に第４移動群１４に保持される副絞りＢユニット１４ｂについても副絞りＡユニット１２ａと同様にズームＷＩＤＥ状態からＴＥＬＥ状態に向かうに従い、絞り羽根がある程度閉じられた状態から開放状態へ変化する。こちらはズーム動作の各焦点距離位置で開放口径を決定する機能をする。
【００６０】
焦点調節動作に関しては前述した通りであるが、電気的制御による電気駆動の他、フォーカスリング１０を操作することによる手動操作によりフォーカスキー９ｂが連結キーＡ１９と係合し連結キーＢ２０を介して回転力をフォーカスカム環１２ｂに伝達する。フォーカスカム環１２ｂの回転により２群移動環１２ｃに一体的に保持された２群ユニット１２ｄが前後し焦点調節が行われる。
【００６１】
前記説明したように本発明の構成により、他の光学要素に対し型成形により製作された両面非球面レンズである第１レンズ１１１を最適な位置に回転調整を行い、１群押え環１１４を締め付けることにより接着することなく調整位置を保持することが可能となる。
【００６２】
尚、本実施例ではワッシャ１１５を介して第１レンズ１１１と第２レンズ１１２を１群鏡筒１１３に保持しているが、これは第１レンズ１１１を直接、１群鏡筒１１３に当接し保持する形態でも効果は同様である。更にはレンズ群が更に複数でもよい。
【００６３】
また、本実施例では第１レンズ１１１を型成形で製作された両面非球面レンズとしたが、これは片面非球面レンズでも、更には両面、片面非球面レンズでもない通常の球面レンズであっても本発明を用いる効果を得ることは可能である。
【００６４】
更に型成形により製作されたレンズではない研磨工程より光学面を製作され、切削工程により外径嵌合部を芯取りされた通常のレンズであっても、僅かながらでも光学面の光軸と外径嵌合部の軸ズレは存在する以上、本発明の効果を得ることは可能である。
【００６５】
また本実施例中の１群鏡筒の弾性部は１群鏡筒が樹脂成形されていること前提で、一体形状で弾性部を形成していたが、これは別部品として構成してもよく、押え環の取付けにより弾性部が変形し締付けることでレンズの回転位置を保持することが可能となればよい。
【実施例２】
【００６６】
図７は本発明の第２の実施例である１群ユニットの部分拡大断面図である。
【００６７】
１群鏡筒１２３は、各部の構成は実施例１と同様であるが、１群鏡筒１２３の係止部１２３ｂと１群締付け環１２４の壁部１２４ａが当接しているところが異なっている。
【００６８】
第１レンズ１１１の曲率面に当接している係止部１２３ｂを、更に１群締付け環１２４をねじ込むことで壁部１２４ａが係止部１１３ｂの外形部を直接押圧し、係止部１１３ｂ共々１群レンズを光軸方向に付勢することで固定している。１群締付け環１１４は回転しながら螺合が進むが、実施例１と同様に回転調整した第１レンズ１１１に回転力が伝わらないため、調整位置が移動することはない。
【００６９】
更に本実施例では、１群押え環は１群鏡筒とネジにより螺合することとしたが、これはバヨネットによる結合であっても、また光軸方向、外周方向からのビス止めによる固定でもよい。１群押え環を挿入していく段階で１群鏡筒の弾性部が徐々に変形しレンズを締め付けることが可能であれば、本発明の目的は達成したことになる。
【符号の説明】
【００７０】
１  マウント、２  マウントリング、３  固定筒、４制御基板、
４ａ  接点ブロック、５  ズームリング、６，２６  案内筒、
６ａ  バヨネット溝、７，２７  カム環、８  ズームキー、
９，２９  外装ユニット、９ａ  フォーカスユニット、９ｂ  フォーカスキー、
９ｃ  フロントユニット、１０  フォーカスリング、１１  第１移動群、
１１ｂ  １群移動環、脚部  １１ｃ、１２  第２移動群、
１２ａ  副絞りＡユニット、１２ｂ  フォーカスカム環、
１２ｃ  ２群移動環、１２ｄ  ２群ユニット、１３  第３移動群、
１４  第４移動群、１４ａ  電磁絞りユニット、
１４ｂ  フレキシブルプリント配線板、１４ｃ  副絞りＢユニット、
１５  第５移動群、１６，３６  変形受け部材、１６ａ  バヨネット爪、
１６ｂ  貫通孔、１７  緩衝部材、１８，３８  中継リング、
１９  連結キーＡ、２０  連結キーＢ、２１  固定ビス、２２，４２  間隙Ａ、
２３，４３  間隙Ｂ、１１０，１２０  １群ユニット、１１１  第１レンズ、
１１１ａ  外径嵌合部、１１２  第２レンズ、１１３，１２３  １群鏡筒、
１１３ａ  嵌合保持部、１１３ｂ，１２３ｂ  係止部、１１３ｃ  弾性部、
１１３ｄ  傾斜部、１１４  １群押え環、１１４ａ  傾斜面、１１４ｂ  壁部
１１５  ワッシャ
【図１】
2020034803.tif 000003
【図２】
2020034803.tif 000004
【図３】
2020034803.tif 000005
【図４】
2020034803.tif 000006
【図５】
2020034803.tif 000007
【図６】
2020034803.tif 000008
【図７】
2020034803.tif 000009